(57)【特許請求の範囲】
【請求項１】
所定情報を表示する表示処理、または、所定操作を受け付ける操作処理、を実行する処理ユニットが複数並べて設けられたパネルと、
上記パネルを回動可能に支持する本体と、
上記パネルを所望の回動角度に保持する保持機構と、を備え、
上記パネルは、複数の上記処理ユニットが並べられた方向に沿った方向を回動軸として、第１位置と、回動先端が上記第１位置よりも上記本体から離間した第２位置とに回動するものであり、
上記保持機構は、上記パネルに設けられた係合部と、上記本体に設けられており上記係合部と係合する被係合部と、を備え、複数の上記処理ユニットが並べられた方向においていずれか１つの上記処理ユニットの領域内に配置されており、
上記被係合部は、上記パネルの回動方向に沿って並設され且つ上記パネルの回動軸側に凹む凹部を備え、
上記係合部は、上記パネルに回動可能に取り付けられており回動先端に上記凹部と係脱可能な突部材が形成されたレバー部と、上記突部材が上記凹部と係合する第１向きへ上記レバー部を弾性付勢する付勢部材とを備え、
上記突部材には、上記第２位置の上記パネルが予め設定された押圧力以上の力で上記第１位置側に押された場合に、上記付勢部材による上記第１向きの付勢力と上記突部材及び上記凹部の摩擦力との合計よりも大きく且つ上記第１向きと逆向きの力が作用される電子装置。
【請求項２】
上記処理ユニットが並べられた方向における第３位置の上記係合部と上記被係合部との係合部分の面積は、上記処理ユニットが並べられた方向における上記第３位置よりも上記処理ユニットの端からの距離が小さい第４位置における上記係合部と上記被係合部との係合部分の面積よりも小さい請求項１に記載の電子装置。
【請求項３】
上記レバー部は、上記係合部の回動中心から上記被係合部側に延びた第１レバー部と、上記係合部の回動中心から上記被係合部側とは異なる側に延びた第２レバー部とを備え、
上記第１レバー部の回動先端には、上記突部材が形成され、
上記第２レバー部の回動先端には、上記係合部を回動させるために把持される把持部が形成されている請求項１または２のいずれかに記載の電子装置。
【請求項４】
上記係合部及び上記被係合部は、上記処理ユニットが並べられた方向に沿って複数設けられている請求項１から３のいずれかに記載の電子装置。
【請求項５】
複数の上記処理ユニットの少なくとも１つは、タッチパネルであり、
上記保持機構は、上記複数の処理ユニットが並べられた方向において、上記タッチパネルとは異なる位置に配置される請求項１から４のいずれかに記載の電子装置。
【請求項６】
当該装置の動作を制御する制御部が実装された制御基板を更に備え、
上記制御基板は、上記複数の処理ユニットが並べられた方向において、上記被係合部と異なる位置に配置されている請求項１から５のいずれかに記載の電子装置。
【請求項７】
請求項１から６のいずれかに記載の電子装置と、
シートに画像を記録する記録部と、
上記パネルの下方において、上記記録部に画像が記録されたシートを載置する載置部と、を備えた画像記録装置。
【請求項８】
所定情報を表示する表示処理、または、所定操作を受け付ける操作処理、を実行する処理ユニットが複数並べて設けられたパネルと、
上記パネルを回動可能に支持する本体と、
上記パネルを所望の回動角度に保持する保持機構と、
上記処理ユニットによる処理に応じて、シートに画像を記録する記録部と、
上記パネルの下方において、上記記録部に画像が記録されたシートを載置する載置部と、を備え、
上記保持機構は、
上記パネルに対して回動可能に設けられた回動部材と、上記回動部材に設けられた係合部材と、上記本体に設けられており上記係合部材と係合する被係合部材と、を備え、
上記被係合部材は、
上記パネルの回動方向に沿って並設され且つ上記パネルの回動軸側に凹む凹部を備え、
上記保持機構は、
上記パネルに回動可能に取り付けられており回動先端に上記凹部と係脱可能な上記係合部材が形成されたレバー部と、上記係合部材が上記凹部と係合する第１向きへ上記レバー部を弾性付勢する付勢部材とを備え、
上記パネルは、支持回動部材を回動可能に保持する保持部を備え、複数の上記処理ユニットが並べられた方向に沿った方向を回動軸として、第１位置と、上記パネルの下方側が上記第１位置よりも上記本体から離間した第２位置とに回動するものであり、
上記係合部材と、上記被係合部材と、上記保持部とは、上記複数の上記処理ユニットが並べられた方向においていずれか１つの上記処理ユニットの領域内に配置されており、
上記係合部材には、上記第２位置の上記パネルが予め設定された押圧力以上の力で上記第１位置側に押された場合に、上記付勢部材による上記第１向きの付勢力と上記係合部材及び上記凹部の摩擦力との合計よりも大きく且つ上記第１向きと逆向きの力が作用される電子装置。
【発明の詳細な説明】
【技術分野】
【０００１】
本発明は、本体に回動可能に設けられたパネルと、当該パネルを所望の回動角度に保持する保持機構とを備える電子装置、及び当該電子装置を備える画像記録装置に関する。
【背景技術】
【０００２】
従来、プリンタ、スキャナ、コピー機、電話機、ファクシミリ機等において、操作ボタンやタッチパネルなどを有する電子装置が設けられたものがある。
【０００３】
操作パネルなどは、装置の上面側から操作される場合と、装置の正面側から操作される場合が想定される。したがって、操作パネルなどを装置上面側に向ければ装置正面側からの操作性が悪くなる。一方、操作パネルなどを装置正面側に向ければ装置上面側からの操作性が悪くなる。これを解消するために、操作パネルなどが回動可能に装置本体に設けられて、操作パネルなどが装置上面側又は装置正面側の任意の方向を向くように姿勢変化できるものが提案されている。このような電子装置には、操作パネルなどを任意の姿勢に保持できるようにする機構、いわゆるチルト機構が備えられている。
【０００４】
特許文献１には、パネル本体２３、及びロックレバー部２９と当該ロックレバー部２９と係合することでパネル本体２３の回動位置をロックする係合固定部３１とを備えるチルト機構部３３を備えたパネル装置が開示されている。当該パネル装置においてパネル本体２３を回動させるためには、上記ロックを解除する必要がある。上記ロックを解除する際、ユーザは、パネル本体２３の上面と操作部３５との間に指を掛け、操作部３５を上方に持ち上げる方向の力を加える。
【先行技術文献】
【特許文献】
【０００５】
【特許文献１】特開２０１１−２２３０３号公報
【発明の概要】
【発明が解決しようとする課題】
【０００６】
特許文献１に開示されたパネル装置において、ユーザが、ロックを解除することなく、パネル本体２３を収納状態に戻そうとした場合、以下の問題が発生する。上記の場合、パネル本体２３に大きな力が作用する。すると、パネル本体２３は、ロックされている箇所である係合固定部３１付近を中心として撓む。その結果、パネル本体２３の内部の部品、例えば液晶ディスプレイやプリント基板やプリント基板に実装された電子部品が破損してしまうおそれがあった。
【０００７】
本発明は、上記問題に鑑みてなされたものであり、その目的は、大きな力が作用しても、内部の部品が破損する可能性を低くすることができる電子装置、及び当該電子装置を備えた画像記録装置を提供することにある。
【課題を解決するための手段】
【０００８】
(1)  本発明の電子装置は、所定情報を表示する表示処理、または、所定操作を受け付ける操作処理、を実行する処理ユニットが複数並べて設けられたパネルと、上記パネルを回動可能に支持する本体と、上記パネルを所望の回動角度に保持する保持機構と、を備える。上記パネルは、複数の上記処理ユニットが並べられた方向に沿った方向を回動軸として、第１位置と、回動先端が上記第１位置よりも上記本体から離間した第２位置とに回動するものである。上記保持機構は、上記パネルに設けられた係合部と、上記本体に設けられており上記係合部と係合する被係合部と、を備え、複数の上記処理ユニットが並べられた方向においていずれか１つの上記処理ユニットの領域内に配置される。
【０００９】
パネルを第２位置から第１位置に回動させようとする大きな力がパネルの回動軸に沿った方向における端部に作用すると、パネルが撓む。しかし、本構成のような位置に保持機構が配置された場合、保持機構が設けられた箇所を中心にパネルが撓む。詳細には、係合部と被係合部との係合箇所を中心にパネル７０が撓む。これにより、パネルの撓みによって生じる処理ユニット自体を折り曲げるような曲げ方向の力が緩和される。
【００１０】
(2)  上記被係合部は、上記パネルの回動方向に沿って並設され且つ上記パネルの回動軸側に凹む凹部を備える。上記係合部は、上記パネルに回動可能に取り付けられており回動先端に上記凹部と係脱可能な突部材が形成されたレバー部と、上記突部材が上記凹部と係合する第１向きへ上記レバー部を弾性付勢する付勢部材とを備える。上記突部材には、上記第２位置の上記パネルが予め設定された押圧力以上の力で上記第１位置側に押された場合に、上記付勢部材による上記第１向きの付勢力と上記突部材及び上記凹部の摩擦力との合計よりも大きく且つ上記第１向きと逆向きの力が作用される。
【００１１】
本構成によれば、第２位置のパネルが予め設定された押圧力以上の力で第１位置側に押された場合、凹部と係合された突部材は、突部材に作用される第１向きと逆向きの力によって、凹部から離間される。これにより、パネルに大きな力が作用することを防止することができる。つまり、上記押圧力を処理ユニットを破損させる程の力よりも小さく設定しておくことにより、処理ユニットの破損を防止することができる。
【００１２】
(3)  上記処理ユニットが並べられた方向における第３位置の上記係合部と上記被係合部との係合部分の面積は、上記処理ユニットが並べられた方向における上記第３位置よりも上記処理ユニットの端からの距離が小さい第４位置における上記係合部と上記被係合部との係合部分の面積よりも小さい。
【００１３】
本構成によれば、パネルを第１位置に回動させようとする力がパネルに作用した場合、係合部分の面積が小さい第３位置における係合部と被係合部との係合が、係合部分の面積が大きい第４位置における係合部と被係合部との係合よりも先に解除される。ここで、パネルの撓みは、多くの場合、処理ユニットの端からの距離が大きい、つまり処理ユニットの中央部である程、大きくなる。つまり、本構成では、撓みの大きい第３位置において、先に係合部と被係合部との係合が解除される。その結果、パネルの撓みによって処理ユニットが破損する可能性を低減することができる。
【００１４】
(4)  上記レバー部は、上記係合部の回動中心から上記被係合部側に延びた第１レバー部と、上記係合部の回動中心から上記被係合部側とは異なる側に延びた第２レバー部とを備える。上記第１レバー部の回動先端には、上記突部材が形成されている。上記第２レバー部の回動先端には、上記係合部を回動させるために把持される把持部が形成されている。
【００１５】
本構成によれば、把持部を把持して係合部を回動させることで、突部材を凹部から離脱させることができる。つまり、係合部を被係合部から離脱させることができる。その結果、パネルを異なる回動角度に回動させることができる。以上より、本構成によれば、把持部を把持して係合部を回動させることによって、パネルに大きな力を作用させることなく、パネルを回動させることができる。
【００１６】
(5)  上記係合部及び上記被係合部は、上記処理ユニットが並べられた方向に沿って複数設けられている。
【００１７】
本構成によれば、係合部及び被係合部が１つしか設けられていない場合よりも、パネルの保持を安定させることができる。
【００１８】
(6)  複数の上記処理ユニットの少なくとも１つは、タッチパネルである。上記保持機構は、上記複数の処理ユニットが並べられた方向において、上記タッチパネルとは異なる位置に配置される。
【００１９】
一般に、タッチパネルは他の処理ユニットに比べて破損しやすい。そこで、本構成では、保持機構とタッチパネルと配置位置を異なる位置としている。これにより、タッチパネルに対してタッチパネル自体を折り曲げるような曲げ方向の力が作用することが低減できる。その結果、タッチパネルが破損する可能性を低くすることができる。
【００２０】
(7)  当該装置の動作を制御する制御部が実装された制御基板を更に備える。上記制御基板は、上記複数の処理ユニットが並べられた方向において、上記被係合部と異なる位置に配置されている。
【００２１】
本構成によれば、パネルの回動時における保持機構と制御基板との接触を防止することができる。また、本構成によれば、複数の処理ユニットが並べられた方向において、部材を配置するスペースを無駄なく使用できるため、装置を小型化できる。
【００２２】
(8)  本発明の操作装置は、（１）から（７）のいずれかに記載の電子装置と、シートに画像を記録する記録部と、上記パネルの下方において、上記記録部に画像が記録されたシートを載置する載置部と、を備えた画像記録装置として捉えることもできる。
【００２３】
本構成によれば、パネルが回動することによって、パネルと載置部との間隔を大きくすることができる場合がある。この場合、載置部に載置されたシートを取り出しやすくすることができる。
【００２４】
(9)  本発明の画像記録装置は、所定情報を表示する表示処理、または、所定操作を受け付ける操作処理、を実行する処理ユニットが複数並べて設けられたパネルと、上記パネルを回動可能に支持する本体と、上記パネルを所望の回動角度に保持する保持機構と、上記処理ユニットによる処理に応じて、シートに画像を記録する記録部と、上記パネルの下方において、上記記録部に画像が記録されたシートを載置する載置部と、を備える。上記保持機構は、上記パネルに対して回動可能に設けられた回動部材と、上記回動部材に設けられた係合部材と、上記本体に設けられており上記係合部材と係合する被係合部材と、を備える。上記パネルは、支持回動部材を回動可能に保持する保持部を備え、複数の上記処理ユニットが並べられた方向に沿った方向を回動軸として、第１位置と、上記パネルの下方側が上記第１位置よりも上記本体から離間した第２位置とに回動するものであり、
上記係合部材と、上記被係合部材と、上記保持部とは、上記複数の上記処理ユニットが並べられた方向においていずれか１つの上記処理ユニットの領域内に配置される。
【００２５】
係合部材と被係合部材が、複数の処理ユニットが並べられた方向においていずれか１つの処理ユニットの領域内に配置されたとしても、保持部が、当該領域外に配置された場合には、パネルは、第２位置から第１位置に回動させようとする大きな力の作用によって撓んでしまう。しかし、本構成によれば、係合部材と、被係合部材と、保持部とが、複数の処理ユニットが並べられた方向においていずれか１つの処理ユニットの領域内に配置されている。これにより、パネルに作用される力を低減することができる。その結果、パネルが撓む可能性を低くすることができる。
【００２６】
また、本構成によれば、（８）と同様に、載置部に載置されたシートを取り出しやすくすることができる。
【発明の効果】
【００２７】
本発明によれば、パネルの撓みによって生じる処理ユニット自体を折り曲げるような曲げ方向の力が緩和される。よって、本発明によれば、パネルの端部に大きな力が作用しても、パネルに設けられた処理ユニットが破損する可能性を低くすることができる。
【図面の簡単な説明】
【００２８】
【図１】図１は、複合機１０の外観斜視図であり、（Ａ）には、パネル７０が第１位置の状態が示されており、（Ｂ）には、パネル７０が第２位置の状態が示されている。
【図２】図２（Ａ）には、第１位置の状態におけるパネル７０の正面図が示されており、図２（Ｂ）には、図２（Ａ）においてパネル７０の背後に位置する保持機構８１が示されている。
【図３】図３は、複合機１０の正面図である。
【図４】図４は、図３のＡ−Ａ断面図であり、パネル７０が第１位置の状態が示されている。
【図５】図５は、図３のＡ−Ａ断面図であり、パネル７０が第２位置の状態が示されている。
【図６】図６は、図３のＡ−Ａ断面図であり、パネル７０が第２位置の状態が示されている。
【図７】図７は、パネル７０及び保持機構８１の背面図である。
【図８】図８（Ａ）には、パネル７０及び保持機構８１の斜視図が示されており、図８（Ｂ）には、係合部８２の斜視図が示されている。
【図９】図９（Ａ）には、パネル７０及び保持機構８１の右側面図が示されており、図９（Ｂ）には、パネル７０及び保持機構８１の左側面図が示されている。
【図１０】図１０は、プリンタ部１２の平面図である。
【図１１】図１１は、プリンタ部１２の内部構造を模式的に示す縦断面図である。
【発明を実施するための形態】
【００２９】
以下、本発明の実施形態について説明する。なお、以下に説明される実施形態は本発明の一例にすぎず、本発明の要旨を変更しない範囲で、本発明の実施形態を適宜変更できることは言うまでもない。また、以下の説明では、矢印の起点から終点に向かう進みが向きと表現され、矢印の起点と終点とを結ぶ線上の往来が方向と表現される。また、以下の説明では、複合機１０が使用可能に設置された状態（図１（Ａ）の状態）を基準として上下方向７が定義され、開口１３が設けられている側を手前側（正面）として前後方向８が定義され、複合機１０を手前側（正面）から見て左右方向９が定義される。
【００３０】
また、以下の各部材の説明では、当該各部材が複合機１０に組み付けられた状態で、上下方向７と前後方向８と左右方向９とが定義されるものとする。
【００３１】
［複合機１０の全体構成］
図１及び図３に示されるように、複合機１０（本発明の画像記録装置の一例）は、概ね直方体に形成されている。複合機１０は、その上部に、記録用紙などの原稿に記録された画像をイメージセンサによって読み取って画像データを取得するスキャナ部１１を備えている。また、複合機１０は、その下部に、上記画像データなどに基づいて、記録用紙１５（本発明のシートの一例、図１１参照）に画像を記録するプリンタ部１２を備えている。
【００３２】
スキャナ部１１は、所謂フラットベッドスキャナとして構成されていが、ここでは、スキャナ部１１の内部構成の詳細な説明は省略される。
【００３３】
プリンタ部１２は、概ね直方体に形成されており、正面に開口１３が形成されたプリンタ筐体１４（本発明の本体の一例）を有している。
【００３４】
図１１に示されるように、プリンタ部１２におけるプリンタ筐体１４の内部には、開口１３から前後方向８に挿抜可能であって内部に記録用紙１５が収容される給紙トレイ２０と、給紙トレイ２０に収容された記録用紙１５を搬送路２３に沿って搬送させる搬送ローラ対６３及び排出ローラ対６６と、スキャナ部１１によって原稿から読み取られた画像データなどに基づいて、搬送路２３を搬送される記録用紙１５に画像を記録する記録部２４などが配設されている。
【００３５】
画像が記録された記録用紙１５は、給紙トレイ２０の上側に設けられた排紙トレイ２１（本発明の載置部の一例）に排出され、排紙トレイ２１に載置される。ここで、排紙トレイ２１は、給紙トレイ２０の上側に給紙トレイ２０と重ねられて設けられており、給紙トレイ２０と一体に開口１３に挿抜される。給紙トレイ２０が開口１３に挿入されている状態において、排紙トレイ２１は、開口１３の底面を構成しており、後述するパネル７０の下側に位置している。つまり、画像が記録された記録用紙１５は開口１３内に排出される。
【００３６】
［搬送路２３］
図１１に示されるように、搬送路２３は、給紙トレイ２０の後端部を基点として、下方から上方に延びつつＵターンしてから、前向きに延びて排紙トレイ２１に至る通路である。搬送路２３は、所定間隔を隔てて互いに対向する第１ガイド部材３１及び第２ガイド部材３２によって構成される空間である。記録用紙１５は、搬送路２３を、図１１に破線の矢印で示される向きである搬送向き１６に搬送される。
【００３７】
［搬送ローラ対６３及び排出ローラ対６６］
図１１に示されるように、搬送路２３における記録部２４よりも搬送向き１６の上流側には、搬送ローラ６１及びピンチローラ６２よりなる搬送ローラ対６３が設けられている。ピンチローラ６２は、ばねなどの弾性部材（不図示）によって搬送ローラ６１のローラ面に圧接されている。搬送路２３における記録部２４よりも搬送向き１６の下流側には、排出ローラ６４及び拍車６５よりなる排出ローラ対６６が設けられている。拍車６５は、ばねなどの弾性部材（不図示）によって排出ローラ６４のローラ面に圧接されている。
【００３８】
搬送ローラ６１及び排出ローラ６４は、搬送用モータ（不図示）から駆動力が伝達されることによって回転される。駆動力が伝達された搬送ローラ６１及び排出ローラ６４は、ピンチローラ６２及び拍車６５との間に記録用紙１５を挟持しつつ搬送向き１６へ搬送する。
【００３９】
［記録部２４］
図１１に示されるように、記録部２４は、搬送路２３の上側に配置されている。記録部２４は、搬送路２３に対向可能な位置に設けられた記録ヘッド３７と、記録ヘッド３７を搭載したキャリッジ３８とを備えている。記録ヘッド３７には、インクカートリッジ（不図示）から供給されたインクを搬送路２３に向けて吐出するための複数のノズル３６が形成されている。キャリッジ３８は、左右方向９に往復移動可能に構成されている。キャリッジ３８が左右方向９へ往復移動されながら、搬送路２３に沿って搬送される記録用紙１５に向かってノズル３６からインク滴が吐出される。これにより、記録用紙１５に画像が記録される。
【００４０】
なお、本実施形態において、記録部２４が記録用紙１５に画像を記録する方式は、インクジェット記録方式であるが、記録部２４が記録用紙１５に画像を記録する方式はインクジェット記録方式に限らず、例えば電子写真方式などであってもよい。
【００４１】
［制御部］
制御部（不図示）は、複合機１０の動作を制御するものであり、図１０に示される制御基板８０に実装されたマイクロコンピュータや種々の電子部品により構成されている。制御部は、上述した搬送用モータを制御して、記録用紙１５を搬送させる。また、制御部は、記録部２４を制御して、記録用紙１５に画像を記録させる。本実施形態において、制御基板８０は、左右方向９において、後述する保持機構８１の被係合部８３よりも左側に配置されている。なお、制御基板は、左右方向９において被係合部８３と異なる位置に配置されていればよく、例えば被係合部８３よりも右側に配置されていてもよい。
【００４２】
［電子装置の全体構成］
複合機１０には、電子装置が搭載されている。電子装置は、図１０に示されるように、上述したプリンタ筐体１４と、プリンタ筐体１４に回動可能に支持されたパネル７０と、パネル７０を所望の回転角度に保持する保持機構８１とを備えている。
【００４３】
［パネル７０］
図１に示されるように、パネル７０の上端部近傍は、プリンタ筐体１４の前面４１を構成する部材によって回動可能に軸支されている。図２及び図７に示されるように、パネル７０の上端部近傍の左右方向９の両端には、外側に延びた突起として回動軸７１が形成されている。つまり、回動軸７１は、左右方向９に沿って延びている。プリンタ筐体１４の前面４１を構成する部材において、パネル７０の右端から延びた軸７１と対向する位置には、孔（不図示）が形成されている。回動軸７１が、プリンタ筐体１４の前面４１を構成する部材の孔に挿通される。これにより、パネル７０は、上端部近傍を軸として、回動可能となる。
【００４４】
パネル７０は、回動軸７１を中心に、図１（Ａ）に示される第１位置と、図１（Ｂ）に示される第２位置とに回動可能である。第１位置のパネル７０は、プリンタ筐体１４の前面４１に沿って配置されている。第２位置のパネル７０は、その下端部が第１位置のときよりも前側に位置している。つまり、第２位置のパネル７０は、その回動先端が第１位置よりもプリンタ筐体１４から離間している。
【００４５】
［操作ユニット７２及びタッチパネル７３］
パネル７０には、複数の処理ユニットが左右方向９に並んで配置されている。本実施形態では、図３に示されるように、処理ユニットとして、操作キー部７２及びタッチパネル７３がパネル７０に配設されている。つまり、本実施形態では、複数の処理ユニットの少なくとも１つは、タッチパネル７３である。もちろん、複数の処理ユニットの全てが操作キー部７２であってもよく、複数の処理ユニットの全てがタッチパネル７３であってもよい。また、本実施形態においては、操作キー部７２及びタッチパネル７３はそれぞれ１個配設されているが、操作キー部７２及びタッチパネル７３の数は１個に限らない。
【００４６】
操作キー部７２及びタッチパネル７３は、パネル７０の前側の面である表面７０Ａ（図３及び図１０参照）に配置されている。本実施形態においては、操作キー部７２がパネル７０の右側に配置され、タッチパネル７３がパネル７０の左側に配置されている。操作キー部７２及びタッチパネル７３の内部には、制御回路基板７４が組み込まれている。図２（Ａ）では、操作キー部７２の表面７０Ａを覆うカバーが外されており、操作キー部７２の制御回路基板７４が露出された状態が示されている。
【００４７】
操作キー部７２は、複数の操作キーが配置されており、各操作キーに応じた処理がなされるものである。本実施形態における操作キー部７２では、複合機１０の電源がＯＮされることにより、各キーの名称（「１」や「＊」など）がカバーに電光表示される。つまり、図１（Ａ）及び図３には、複合機１０の電源がＯＮである状態が記されており、図１（Ｂ）には、複合機１０の電源がＯＦＦである状態が記されている。なお、操作キー部７２の構成は、上述したようなものに限らない。
【００４８】
制御部は、タッチパネル７３に、ユーザへの指示や画像記録に関する情報（本発明の所定情報の一例）などを表示させる。つまり、タッチパネル７３は、制御部に制御されることによって装置状態の表示や画像記録に関する表示などを行う表示処理を実行する。ユーザは、タッチパネル７３に表示された情報に基づいて、タッチパネル７３に表示された画像や操作キー部７２を押圧（本発明の所定操作の一例）することによって、画像記録の実行などを指示する。操作キー部７２及びタッチパネル７３は、当該押圧に基づく信号を制御部に出力する。つまり、操作キー部７２及びタッチパネル７３は、当該押圧を受け付ける操作処理を実行する。また、画像記録の実行を制御部に指示された記録部２４は、画像記録を実行する。つまり、記録部２４は、操作キー部７２及びタッチパネル７３による処理に応じて、記録用紙１５に画像を記録する。
【００４９】
［保持機構８１］
図４及び図８（Ａ）に示されるように、保持機構８１は、前後方向８において、パネル７０の後側に配置されている。また、図２（Ｂ）に示されるように、保持機構８１は、左右方向９において、複数の処理ユニットのうちの１つである操作キー部７２が配置されている領域内、つまりタッチパネル７３とは異なる位置に配置されている。なお、図２（Ｂ）においては、保持機構８１とパネル７０とが、重ねて描かれており、保持機構８１が実線で描かれ、パネル７０が二点鎖線で描かれることによって、保持機構８１とパネル７０とは区別されている。
【００５０】
図２（Ｂ）及び図８（Ａ）に示されるように、保持機構８１は、パネル７０に設けられた係合部８２と、プリンタ筐体１４に設けられており係合部８２と係合する被係合部８３（本発明の被係合部の一例であって、本発明の被係合部材の一例）とを備えている。図７及び図８（Ａ）に示されるように、被係合部８３は、係合部８２の概ね後側において係合部８２と対向して配置されている。
【００５１】
［係合部８２］
図８に示されるように、係合部８２は、パネル７０に対して回動可能に取り付けられたレバー部８４（本発明のレバー部の一例であって、本発明の回動部材の一例）を備えている。
【００５２】
図８（Ｂ）に示されるように、レバー部８４は、左右方向９に延びており係合部８２の回動中心として機能する回動軸８５と、当該回動軸８５から概ね後側、つまり被係合部８３側に延びた湾曲形状の第１レバー部８６と、当該回動軸８５から概ね前側、つまり被係合部８３とは異なる側に延び且つ左右方向９に延設された第２レバー部８７とを備えている。
【００５３】
図８（Ａ）に示されるように、回動軸８５は、パネル７０の表面７０Ａ（図３及び図１０参照）と反対側の面である裏面７０Ｂに取り付けられた保持部８８に回動可能に保持される。保持部８８は、左右方向９に所定の間隔を空けて突設された一対の凸部８９を備えている。一対の凸部８９の内側には、凸部８９の突出先端から突出基端側へ凹んだ嵌合部９０が設けられている。嵌合部９０には、回動軸８５が回動可能に嵌め込み可能である。
【００５４】
図２（Ｂ）に示されるように、保持部８８は、保持機構８１と同様に、左右方向９において、複数の処理ユニットのうちの１つである操作キー部７２が配置されている領域内、つまりタッチパネル７３とは異なる位置に配置されている。ここで、保持機構８１は、係合部８２と被係合部８３とを備えており、係合部８２はレバー部８４を備えており、レバー部８４には後述する突部材９１（本発明の突部材の一例であって、本発明の係合部材の一例）が形成されている。以上より、突部材９１と、被係合部８３と、保持部８８とは、左右方向９において、パネル７０に設けられた処理ユニットのうち、いずれか１つの処理ユニットの領域内に配置されている。
【００５５】
図８（Ｂ）に示されるように、第１レバー部８６における回動軸８５と反対側、つまり第１レバー部８６の回動先端には、突部材９１が形成されている。突部材９１は、第１レバー８６の回動先端から被係合部８３に向かって突出されている。また、突部材９１の突出長は、左側である程に大きい。具体的には、図８（Ｂ）に示されるように、第１レバー部８６の回動先端部の左端部７８における突部材９１の突出長は、第１レバー部８６の回動先端部の右端部７９における突部材９１の突出長よりも大きい。突部材９１は、後述する被係合部９３の凹部９７（図８（Ａ）参照）と係脱可能である。
【００５６】
［把持部９２］
図８（Ｂ）に示されるように、第２レバー部８７における回動軸８５と反対側、つまり第２レバー部８７の回動先端には、把持部９２が形成されている。把持部９２は、第２レバー部８７の回動先端において屈曲された部分として構成されている。図４〜図６に示されるように、把持部９２は、パネル７０の表面７０Ａに向かって延びている。
【００５７】
図４〜図６に示される状態では、把持部９２の先端とパネル７０とには、隙間９３が設けられている。この状態では、複合機１０のユーザは、突部材９１と凹部９７とが係合されているために、パネル７０を回動させることができない。そこで、当該状態において、複合機１０のユーザは、把持部９２を把持して、隙間９３をなくすように把持部９２を回動させる。つまり、複合機１０のユーザは、図６に示されるように、把持部９２を矢印９４の向きに回動させる。すると、回動軸８５に対して把持部９２と反対側に位置する突部材９１は、矢印９５の向きに回転する。これにより、突部材９１と凹部９７との係合が解除され、複合機１０のユーザはパネル７０を回動させることができる。以上より、把持部９２は、係合部８２を回動させるために把持される。
【００５８】
［トーションばね５１］
係合部８２は、上述したレバー部８４に加えてトーションばね５１（図５参照、本発明の付勢部材の一例）を備えている。トーションばね５１は、コイル部５２と、当該コイル部５２の両端から延びたアーム部５３とで構成されている。コイル部５２は、レバー部８４の回動軸８５（図８参照）に巻き付けられている。アーム部５３の一方であるレバー側アーム部（不図示）は第１レバー部８６に取り付けられており、アーム部５３の他方であるパネル側アーム部５４はパネル７０に取り付けられている。これにより、トーションばね５１は、レバー部８４を矢印９６（図６参照）の向きへ弾性付勢する。ここで、矢印９６の向きは、突部材９１が凹部９７と係合する向きであり、本発明の第１向きの一例である。
【００５９】
［被係合部８３］
図８（Ａ）に示されるように、被係合部８３は、上端部をプリンタ筐体１４（図１参照）に取り付けられており、当該上端部から下側且つ前側に湾曲しながら延びている。換言すると、被係合部８３は、概ねパネル７０の回動方向である矢印９９（図６参照）に沿って延びている。そして、被係合部８３は、パネル７０の回動方向に沿って並設され且つパネル７０の回動軸側に凹む凹部９７を備えている。
【００６０】
図４〜図６に示されるように、本実施形態では、３つの凹部９７Ａ〜９７Ｃが形成されている。突部材９１が３つの凹部９７Ａ〜９７Ｃのうちの何れと係合するかによって、パネル７０の第２位置における第１位置に対する回転角度が決まる。具体的には、突部材９１が凹部９７Ｃと係合した状態（図６参照）では、突部材９１が凹部９７Ｂと係合した状態（図５参照）よりも、当該回転角度が大きくなる。また、突部材９１が凹部９７Ａよりも上側に位置する場合（図４参照）、パネル７０は、プリンタ筐体１４の前面４１に沿って配置された状態、つまり第１位置の状態となる。
【００６１】
凹部９７と突部材９１との係合部分の面積は、左右方向９において、操作キー部７２の中央部である程、大きい。以下に詳述する。上述したように、第１レバー部８６の回動先端部の左端部７８における突部材９１の突出長は、第１レバー部８６の回動先端部の右端部７９における突部材９１の突出長よりも大きい（図８（Ｂ）参照）。これにより、凹部９７と突部材９１とが係合する際、左端部７８の突部材９１が凹部９７に入り込む深さ（図９（Ｂ）参照）は、右端部７９の突部材９１が凹部９７に入り込む深さよりも深い（図９（Ａ）参照）。これにより、左端部７８の突部材９１と凹部９７との係合部分の面積は、右端部７９の突部材９１と凹部９７との係合部分の面積よりも大きくなる。
【００６２】
ここで、図２（Ｂ）に示されるように、第１レバー部８６の回動先端部の左端部７８は、第１レバー部８６の回動先端部の右端部７９よりも、操作キー部７２の左端７７からの距離が小さい。つまり、左右方向９における右端部７９（本発明の第３位置の一例）の係合部８２の一部である突部材９１と被係合部９３の一部である凹部９７との係合部分の面積は、左右方向９における右端部７９よりも左端７７からの距離が小さい左端部７８（本発明の第４位置の一例）における突部材９１と凹部９７との係合部分の面積よりも小さい。
【００６３】
［突部材９１の凹部９７からの離間］
図９（Ａ）に示されるように、突部材９１には、第２位置のパネル７０が予め設定された押圧力Ｆ１以上の力で第１位置側に押された場合に、突部材９１が凹部９７と係合する向き、つまり矢印９６の向き（図６及び図９（Ａ）参照）と逆向きの力Ｆ２が作用される。ここで、力Ｆ２は、トーションばね５１による矢印９６の向きの付勢力Ｆ４と、突部材９１及び凹部９７の摩擦力との合計よりも大きな力が作用される。
【００６４】
以下に詳述する。押圧力Ｆ１は、操作キー部７２及びタッチパネル７３を破損させる程の力よりも小さく設定されている。第２位置のパネル７０が第１位置側に押された場合、押圧力Ｆ１は、突部材９１を含む係合部８２のレバー部８４の回動軸８５から、突部材９１と被係合部８３の凹部９７との接点９８への向きの力となる。
【００６５】
そして、押圧力Ｆ１を、突部材９１と凹部９７との共通接線１０１及び共通法線１０２とで分解した場合に、共通接線１０１に沿った方向の力Ｆ２は、突部材９１が凹部９７から離間しようとする力である。
【００６６】
また、突部材９１が凹部９７から離間しようとする際に発生する摩擦力は、Ｆ＝μＮの公式より求めることができる。ここで、μは、摩擦係数である。また、Ｎは、押圧力Ｆ１を、突部材９１と凹部９７との共通接線１０１及び共通法線１０２とで分解した場合に、共通法線１０２に沿った方向の力Ｆ３である。つまり、摩擦力は、μ・Ｆ３によって求めることができる。
【００６７】
そして、本実施形態において、力Ｆ２は、力Ｆ４と摩擦力μ・Ｆ３との合計よりも大きくなる。以上より、第２位置のパネル７０が押圧力Ｆ１以上の力で第１位置側に押された場合、係合部８２及び被係合部８３によるパネル７０の回動の制止が解除されて、パネル７０は第１位置側に回動する。
【００６８】
［実施形態の効果］
パネル７０を第２位置から第１位置に回動させようとする大きな力がパネル７０の左右方向９における端部に作用すると、パネル７０が撓む。しかし、本実施形態のような位置に保持機構８１が配置された場合、保持機構８１が設けられた箇所を中心にパネル７０が撓む。詳細には、係合部８２の突部材９１と被係合部８３の凹部９７との係合箇所及び保持部８８の位置を中心にパネル７０が撓む。これにより、パネル７０の撓みによって生じる操作キー部７２自体及びタッチパネル７３自体を折り曲げるような曲げ方向の力が緩和される。よって、本実施形態によれば、パネル７０の端部に大きな力が作用しても、パネル７０に設けられた操作キー部７２及びタッチパネル７３が破損する可能性を低くすることができる。
【００６９】
また、本実施形態によれば、第２位置のパネル７０が予め設定された押圧力Ｆ１以上の力で第１位置側に押された場合、凹部９７と係合された突部材９１は、突部材９１に作用される矢印９６の向きと逆向きの力Ｆ２によって、凹部９７から離間される。これにより、パネル７０に大きな力が作用することを防止することができる。つまり、押圧力Ｆ１を操作キー部７２及びタッチパネル７３を破損させる程の力よりも小さく設定しておくことにより、操作キー部７２及びタッチパネル７３の破損を防止することができる。
【００７０】
また、本実施形態によれば、パネル７０を第１位置に回動させようとする力がパネル７０に作用した場合、係合部分の面積が小さい第１レバー部８６の回動先端部の右端部７９における係合部８２と被係合部８３との係合が、係合部分の面積が大きい第１レバー部８６の回動先端部の右端部７９における係合部８２と被係合部８３との係合よりも先に解除される。ここで、パネル７０の撓みは、多くの場合、操作キー部７２（またはタッチパネル７３）の端からの距離が大きい、つまり操作キー部７２（またはタッチパネル７３）の中央部である程、大きくなる。つまり、本実施形態では、撓みの大きい右端部７９において、先に係合部８２と被係合部８３との係合が解除される。その結果、パネル７０の撓みによって操作キー部７２及びタッチパネル７３が破損する可能性を低減することができる。
【００７１】
また、本実施形態によれば、把持部９２を把持して係合部８２を回動させることで、突部材９１を凹部９７から離脱させることができる。つまり、係合部８２を被係合部８３から離脱させることができる。その結果、パネル７０を異なる回動角度に回動させることができる。以上より、本実施形態によれば、把持部９２を把持して係合部８２を回動させることによって、パネル７０に大きな力を作用させることなく、パネル７０を回動させることができる。
【００７２】
一般に、タッチパネル７３は制御回路基板７４よりも破損しやすい。そこで、本実施形態では、保持機構８１とタッチパネル７３と配置位置を異なる位置としている。これにより、タッチパネル７３に対してタッチパネル７３自体を折り曲げるような曲げ方向の力が作用することが低減できる。その結果、タッチパネル７３が破損する可能性を低くすることができる。
【００７３】
また、本実施形態によれば、保持機構８１と制御基板８０とが左右方向９において異なる位置に配置されている。これにより、パネル７０の回動時における保持機構８１と制御基板８０との接触を防止することができる。また、本実施形態によれば、左右方向９において、部材を配置するスペースを無駄なく使用できるため、複合機１０を小型化できる。
【００７４】
［変形例１］
上述の実施形態では、保持機構８１は、左右方向９において、タッチパネル７３とは異なる位置に配置されていた。しかし、保持機構８１は、左右方向９において、タッチパネル７３が配置されている領域内に配置されていてもよい。つまり、変形例１において、保持機構８１は、左右方向９において、複数の処理ユニットのうち、いずれか１つの処理ユニットの領域内に配置されていればよい。
【００７５】
［変形例２］
上述の実施形態において、保持機構８１における係合部８２及び被係合部８３は、１つずつ設けられていた。複数の係合部８２及び被係合部８３が、左右方向９において並んで配置されていてもよい。つまり、係合部８２及び被係合部８３は、左右方向９に沿って複数設けられていてもよい。
【００７６】
変形例２によれば、係合部８２及び被係合部８３が１つしか設けられていない場合よりも、パネル７０の保持を安定させることができる。
【符号の説明】
【００７７】
７・・・上下方向
８・・・前後方向
９・・・左右方向
１０・・・複合機
１４・・・プリンタ筐体
７０・・・パネル
７１・・・回動軸
７２・・・操作キー部
７３・・・タッチパネル
８１・・・保持機構
８２・・・係合部
８３・・・被係合部
【図１】
0005998586.tif 000002
【図２】
0005998586.tif 000003
【図３】
0005998586.tif 000004
【図４】
0005998586.tif 000005
【図５】
0005998586.tif 000006
【図６】
0005998586.tif 000007
【図７】
0005998586.tif 000008
【図８】
0005998586.tif 000009
【図９】
0005998586.tif 000010
【図１０】
0005998586.tif 000011
【図１１】
0005998586.tif 000012